(57)【要約】【課題】室温Ｔｒ、室内設定温度Ｔｓ、及び、その温度差を、それらの変化と共にカラー映像として表示した空気調和装置用コントローラーを提供すること。【解決手段】空気調和装置用コントローラー３０は、通信部３１と、制御部３３と、室内の空調状態を映像として視覚化する表示部３４とを有する。制御部３３は、運転制御部３３ａと映像処理部３３ｂとを有する。運転制御部３３ａは、室温Ｔｒを取り込む機能、室内設定温度Ｔｓを取り込む機能、外部から与えられる情報に基づき室内設定温度Ｔｓを変更する機能、並びに、室温Ｔｒ及び室内設定温度Ｔｓを空気調和機１に送信するように指示する機能を有する。映像処理部３３ｂは、室温Ｔｒ、室内設定温度Ｔｓを温度スケールに紐付された色相により表示した映像とするための映像信号処理を行う。表示部３４は、映像処理部３３ｂで生成された映像信号に基づきカラー映像を表示する。【選択図】  図１
2019002634.tif 000002
【特許請求の範囲】
【請求項１】
空調対象室内における室温Ｔｒを検知する室内温度センサー（３２ｃ）と、
室内を空調する空気調和機（１）との間で情報通信を行う通信部（３１）と、
当該コントローラーの運転動作を全体的に制御する制御部（３３）と、
室内の空調状態を映像として視覚化する表示部（３４）とを有し、
前記制御部（３３）は、前記室温Ｔｒを取り込む機能、前記空気調和機（１）の室内設定温度Ｔｓを取り込む機能、外部から与えられる情報に基づき前記室内設定温度Ｔｓを変更する機能、並びに、取り込んだ室温Ｔｒ及び前記変更した室内設定温度Ｔｓを前記空気調和機（１）に送信するように指示する機能を有する運転制御部（３３ａ）と、前記取り込んだ室温Ｔｒ、及び、前記取り込んだ又は変更した室内設定温度Ｔｓを温度スケール（４６）に紐付された色相により表示した映像とするための映像信号処理を行う映像処理部（３３ｂ）とを備え、
前記表示部（３４）は、前記映像処理部（３３ｂ）で生成された映像信号に基づきカラー映像（４０）を表示するように構成されている
空気調和装置用コントローラー。
【請求項２】
前記表示部（３４）に表示される前記カラー映像（４０）は、背景（４１）に模様を浮かばせたものであり、
前記背景（４１）及び模様は、一方が室温Ｔｒを表示し、他方が室内設定温度Ｔｓを表示するように温度スケール（４６）に紐付けされた色相が施されるとともに、明度或いは彩度又はこれら双方を調節することにより異なる濃さに調整され、
前記背景（４１）及び模様の色相は、室内設定温度Ｔｓの変更及び室温Ｔｒの変化に追随して変化するように構成され、
前記温度スケール（４６）に対する紐付けは、最高設定温度が赤色、最低設定温度が青色であり、その中間温度が順次変化するように行われている
請求項１記載の空気調和装置用コントローラー。
【請求項３】
前記カラー映像（４０）は、前記背景（４１）が室温Ｔｒを表示するものとして薄い色相とされ、前記模様が室内設定温度Ｔｓを表示するものとして濃い色相とされている
請求項２記載の空気調和装置用コントローラー。
【請求項４】
請求項２記載の空気調和装置用コントローラーにおいて
前記制御部（３３）を構成する前記運転制御部（３３ａ）は、前記空気調和機（１）の運転態様を取り込む機能をさらに備え、
前記制御部（３３）を構成する前記映像処理部（３３ｂ）は、前記取り込んだ室温Ｔｒ、及び、前記取り込んだ又は変更した室内設定温度Ｔｓ、並びに、前記取り込んだ前記空気調和機（１）の運転態様を温度スケール（４６）に紐付された色相により表示した映像とするための映像信号処理を行うように構成されている
空気調和装置用コントローラー。
【請求項５】
前記カラー映像（４０）は、前記背景（４１）が室温Ｔｒを表示するものとして薄い色相とされ、前記模様が水玉模様（４２）に形成されるとともに室内設定温度Ｔｓを表示するものとして濃い色相とされ、さらに、この水玉模様（４２）の動きにより空気調和機（１）の運転態様を表示するように形成されている
請求項４記載の空気調和装置用コントローラー。
【請求項６】
前記カラー映像（４０）は、冷房運転時には前記水玉模様（４２）が青系色へ、暖房運転時には前記水玉模様（４２）が赤系色へ、室内設定温度Ｔｓ近辺における送風運転又は除湿運転時には前記水玉模様（４２）が中間色で表示され、水平方向へ流れるように形成されている
請求項５記載の空気調和装置用コントローラー。
【請求項７】
前記カラー映像（４０）は、室温Ｔｒと室内設定温度Ｔｓとの温度差の大小により、前記水玉模様（４２）の色相差が表れるように形成されている
請求項６記載の空気調和装置用コントローラー。
【請求項８】
請求項１〜請求項７の何れか１項に記載の空気調和装置用コントローラーにおいて、
室内設定温度Ｔｓを変更するユーザーの意思表示を表す動作を検出する動作検知センサー（３２ｂ）が設けられ、
前記運転制御部（３３ａ）は、前記動作検知センサー（３２ｂ）により検出されたユーザーの動作の意味を確認し、室内設定温度Ｔｓの変更を意味すると確認された場合は、この動作に対応するように室内設定温度Ｔｓを変更し、前記通信部（３１）に対し変更後の室内設定温度Ｔｓを前記空気調和機（１）に送信指示するように構成されている
空気調和装置用コントローラー。
【請求項９】
前記動作検知センサー（３２ｂ）は、ユーザーの手を動かすジェスチャーを検出するものであり、
前記運転制御部（３３ａ）は、前記動作検知センサー（３２ｂ）により検出された動作が予め定められたルールに基づく動作である場合には、検出された動作により、室内設定温度Ｔｓを上方或いは下方へ修正するように構成されている
請求項８記載の空気調和装置用コントローラー。
【請求項１０】
請求項１〜請求項９の何れか１項に記載の空気調和装置用コントローラーにおいて、
空気調和機（１）の運転開始の必要性を確認する確認手段を有し、
前記運転制御部（３３ａ）は、前記確認手段により必要性が確認された場合に、前記通信部（３１）を介し前記空気調和機（１）に対し運転開始指令を発するように構成されている
空気調和装置用コントローラー。
【請求項１１】
前記確認手段は、人検知センサー（３２ａ）であり、
前記運転制御部（３３ａ）は、前記人検知センサー（３２ａ）により人の入室を最初に検知した場合に、前記通信部（３１）を介し前記空気調和機（１）に対し運転開始指令を発するように構成されている
請求項１０記載の空気調和装置用コントローラー。
【請求項１２】
前記表示部（３４）は、投写映像表示機能を備えたものである
請求項１〜請求項１１の何れか１項に記載の空気調和装置用コントローラー。
【請求項１３】
当該コントローラーは、平面上に載置できる構造である
請求項１２記載の空気調和装置用コントローラー。
【請求項１４】
請求項１〜請求項１３の何れか１項に記載の前記空気調和装置用コントローラーは、
インターネット（５０）を介し複数台の空気調和機（１）に対するコントローラーとして機能するように構成されている
空気調和システム。
【発明の詳細な説明】
【技術分野】
【０００１】
本発明は、空気調和装置用コントローラー及びこれを用いた空気調和システムに関する。
【背景技術】
【０００２】
従来一般の空気調和装置は、室内温度センサーが空気調和機の近傍に取り付けられていた。このため、室内温度センサーにより検知される室温は、空気調和機近傍の温度であって、空調対象室内の平均温度とは言えなかった。この点を改良するため、最近の空気調和装置においては、空気調和機から離れた室内に空気調和装置用コントローラーとしてリモコンを取り付け、このリモコンに室内温度センサーを取り付けたものや、離れた室内温度を測定する赤外線差などが使用されるようになってきている。
【０００３】
ところで、この空気調和装置の場合、特許文献１や特許文献４に示すように、室温や室内設定温度の表示が数字等の文字情報により行われていた。また、近年は、冷房運転、暖房運転、送風運転などを自動的に選択して運転する、所謂自動運転機能を備えた空気調和装置が多くなっているが、この自動運転機能を備えた空気調和装置においても、特許文献１〜特許文献４に示すように、室温、室内設定温度及び運転態様についての表示が文字情報により行われていた。
【先行技術文献】
【特許文献】
【０００４】
【特許文献１】特開２００８−１０１７９８号公報
【特許文献２】特開平６−１４７５９１号公報
【特許文献３】特公平４−６８５３８号公報
【特許文献４】特開２０１４−２１４９３５号公報
【発明の概要】
【発明が解決しようとする課題】
【０００５】
従来の空気調和装置は、上述のように、ユーザーの利用の便に供するために室温及び室内設定温度を文字情報により表示しているが、これらの文字表示が小さい。このため、ユーザーは、このような小さな文字情報を読み取るのは煩わしいばかりでなく、リモコンが薄暗い場所に設置されている場合には読み取ることが困難である場合もあった。また、ユーザーは、室温及び室内設定温度に関する文字情報からのみでは、空気調和運転が意図通りに行われているかどうかを直感的に確認し難いという問題があった。
【０００６】
本発明は、このような課題に鑑み成されたものであって、ユーザーが、自らの意図通りに空調運転されているかどうかを確認し易いように、現状の室温、室内設定温度、及び、その温度差をカラー映像として表示した空気調和装置用コントローラーを提供することにある。
【課題を解決するための手段】
【０００７】
上記課題を解決する空気調和装置用コントローラーは、空調対象室内における室温Ｔｒを検知する室内温度センサーと、室内を空調する空気調和機との間で情報通信を行う通信部と、当該コントローラーの運転動作を全体的に制御する制御部と、室内の空調状態を映像として視覚化する表示部とを有し、前記制御部は、前記室温Ｔｒを取り込む機能、前記空気調和機の室内設定温度Ｔｓを取り込む機能、外部から与えられる情報に基づき前記室内設定温度Ｔｓを変更する機能、並びに、取り込んだ室温Ｔｒ及び前記変更した室内設定温度Ｔｓを前記空気調和機に送信するように指示する機能を有する運転制御部と、前記取り込んだ室温Ｔｒ、及び、前記取り込んだ又は変更した室内設定温度Ｔｓを温度スケールに紐付された色相により表示した映像とするための映像信号処理を行う映像処理部とを備え、前記表示部は、前記映像処理部で生成された映像信号に基づきカラー映像を表示するように構成されている。
【０００８】
このような構成の空気調和装置用コントローラーによれば、現状の室温Ｔｒ及び室内設定温度Ｔｓが、温度スケールに紐付けされている色相を施したカラー映像として表示される。このため現状の室温Ｔｒ及び室内設定温度Ｔｓのみならず室温Ｔｒと室内設定温度Ｔｓとの温度差をも直感的に把握することができる。従って、現状の室内空間の温度状態及び空気調和機の運転状態を通じ、意図通りの空気調和運転が行われているかを直感的に把握することができる。また、その結果として、空気調和機をユーザーの実感とマッチする方向に運転操作することができる。
【０００９】
前記表示部に表示される前記カラー映像は、背景に模様を浮かばせたものであり、前記背景及び模様は、一方が室温Ｔｒを表示し、他方が室内設定温度Ｔｓを表示するように温度スケールに紐付けされた色相が施されるとともに、明度或いは彩度又はこれら双方を調節することにより異なる濃さに調整され、さらに、前記背景及び模様の色相は、室内設定温度Ｔｓの変更及び室温Ｔｒの変化に追随して変化するように構成され、前記温度スケールに対する紐付けは、最高設定温度が赤色、最低設定温度が青色であり、その中間が順次変化するように行われていることが好ましい。
【００１０】
このような構成によれば、一つの映像で、室温Ｔｒ、室内設定温度Ｔｓ、室温Ｔｒと室内設定温度Ｔｓとの温度差、及びこれらの変化を認識することができるので、直感的に現状の空気調和運転の適応性を判断することができる。
【００１１】
前記カラー映像は、前記背景が室温Ｔｒを表示するものとして薄い色相とされ、前記模様が室内設定温度Ｔｓを表示するものとして濃い色相とされていることが好ましい。
【００１２】
このような構成によれば、背景を室内空間とイメージ付けできるので、室温Ｔｒと室内設定温度Ｔｓの表示として直感的にイメージし易いという利点がある。
前記制御部を構成する前記運転制御部は、前記空気調和機の運転態様を取り込む機能をさらに備え、前記制御部を構成する前記映像処理部は、前記取り込んだ室温Ｔｒ、及び、前記取り込んだ又は変更した室内設定温度Ｔｓ、並びに、前記取り込んだ前記空気調和機の運転態様を温度スケールに紐付された色相により表示した映像とするための映像信号処理を行うように構成されていることが好ましい。
【００１３】
このような構成によれば、ユーザーは、カラー映像により室温Ｔｒ及び室内設定温度Ｔｓとともに現状の空気調和機の運転態様を認識することができるので、現在の空調運転が意図通りのものであるか否かをより認識し易くなる。なお、従来、空気調和機が自動運転するものである場合、現状どのような運転が行われているか把握し難く、設定が適切かどうか判断し難いことがあったが、本コントローラーによればそのような問題が解消される。
【００１４】
前記カラー映像は、前記背景が室温Ｔｒを表示するものとして薄い色相とされ、前記模様が水玉模様に形成されるとともに室内設定温度Ｔｓを表示するものとして濃い色相とされ、さらに、この水玉模様の動きにより空気調和機の運転態様を表示するように形成されていることが好ましい。
【００１５】
このような構成によれば、室温Ｔｒと室内設定温度Ｔｓの表示として直感的にイメージし易いという利点があるとともに、運転態様を容易に認識することができる。
【００１６】
前記カラー映像は、冷房運転時には前記水玉模様が下方向へ、暖房運転時には前記水玉模様が上方向へ、室内設定温度Ｔｓ近辺における送風運転又は除湿運転時には前記水玉模様が水平方向へ流れるように形成されていることが好ましい。
【００１７】
このような構成によれば、水玉模様の動きと、空気調和機の運転態様による室温Ｔｒの変化する方向のイメージとが合致するので、カラー映像による運転表示機能としては簡素であり、かつ明確である。
【００１８】
前記カラー映像は、室温Ｔｒと室内設定温度Ｔｓとの温度差の大小により、前記水玉模様の流れ速度が高低変化するように形成されていることが好ましい。
一般的な空気調和機では、室温Ｔｒと室内設定温度Ｔｓとの温度差が大きいほど、能力が大きくなるように形成されている。したがって、このような構成によれば、水玉模様の動きと空気調和機の現状能力とのイメージが合致するので、現状の空気調和運転が意図通りのものであるかどうかを直感的に認識させる映像として好ましい。
【００１９】
上記空気調和装置用コントローラーにおいて、室内設定温度Ｔｓを変更するユーザーの意思表示を表す動作を検出する動作検知センサーが設けられ、前記運転制御部は、前記動作検知センサーにより検出されたユーザーの動作の意味を確認し、室内設定温度Ｔｓの変更を意味すると確認された場合は、この動作に対応するように室内設定温度Ｔｓを変更し、前記通信部に対し変更後の室内設定温度Ｔｓを前記空気調和機に送信指示するように構成されていることが好ましい。
【００２０】
このような構成によれば、ユーザーが室内設定温度Ｔｓを直感的に変更設定することができるので、ユーザーの意図に沿った運転を実現することが容易になる。また、冷房、暖房、送風などの運転態様を自動的に制御する空気調和機に対しこのようなコントローラーを適用する場合は、空気調和機個々に設けられるリモコンを省略することができる。
【００２１】
前記動作検知センサーは、ユーザーの手を動かすジェスチャーを検出するものであり、
前記運転制御部は、前記動作検知センサーにより検出された動作が予め定められたルールに基づく動作である場合には、検出された動作により、室内設定温度Ｔｓを上方或いは下方へ修正するように構成されていることが好ましい。
【００２２】
このような構成によれば、ユーザーの操作意図をイメージした簡単なジェスチャーで室内設定温度Ｔｓを変更することができる。例えば、手の上下運動により室内設定温度Ｔｓを上下変更させるようにすることができる。
【００２３】
また、本空気調和装置用コントローラーは、空気調和機の運転開始の必要性を確認する確認手段を有し、前記運転制御部は、前記確認手段により必要性が確認された場合に、前記通信部を介し前記空気調和機に対し直接もしくはインターネットを介して運転開始指令を発するように構成されていることが好ましい。
【００２４】
このような構成によれば、空気調和機側に運転操作スイッチを設けなくても、コントローラー側からの指示により空気調和機の運転の発停操作を行うことができる。なお、確認手段は、スイッチ等適宜のもので良い。
【００２５】
前記確認手段は、人検知センサーであり、前記運転制御部は、前記人検知センサーにより人の入室を最初に検知した場合に、前記通信部を介し前記空気調和機に対し運転開始指令を発するように構成されていることが好ましい。
【００２６】
このような構成によれば、空調室内に人が入室すると同時に空気調和機を運転することができる。また、この確認手段の利用により空気調和機の運転を停止させるように構成することも可能である。
【００２７】
前記表示部は、投写映像表示機能を備えたものであることが好ましい。
このような構成によれば、壁面等の適宜の面に投写された大きなカラー映像で運転状況を把握することができるので、空気調和運転状況の確認が容易である。したがって、何らかの作業をしながらでも空気調和運転状況を把握することができる。
【００２８】
本発明に係る空気調和システムは、前記空気調和装置用コントローラーが、インターネットを介し複数台の空気調和機に対するコントローラーとして機能するように構成されているものである。
【００２９】
このような構成によれば、１室に複数台の空気調和機が設置されているような空気調和システムにおいて、１台の空気調和装置用コントローラーでこれら空気調和機用のコントローラーとすることができる。
【発明の効果】
【００３０】
本空気調和装置用コントローラーによれば、現状の室内空間の温度状態及び空気調和機の運転状態を通して、意図通りの空気調和運転が行われているかを直感的に把握することを可能にする。
【図面の簡単な説明】
【００３１】
【図１】実施の形態に係る空気調和装置用コントローラーを用いた空気調和システムの概略構成を示す機能ブロック図である。
【図２】同空気調和装置用コントローラーに対し、ユーザーが室内設定温度Ｔｓを低温側に下げる動作の説明図である。
【図３】同空気調和装置用コントローラーに対し、ユーザーが室内設定温度Ｔｓを高温側に上げる動作の説明図である。
【図４】同空気調和装置用コントローラーにより投写される映像の説明図であって、（ａ）は映像イメージ図であり、（ｂ）は同映像イメージ図の内容説明図である。
【図５】同空気調和装置用コントローラーにおける色相スケールと温度スケールの紐付け説明図である。
【図６】同空気調和装置用コントローラーの運転動作を示すフローチャートである。
【図７】変形例に係り、インターネットを介し、１台の空気調和装置用コントローラーに対し複数台の空気調和機を接続した空気調和システムの説明図である。
【図８】変形例に係る、同空気調和装置用コントローラーにより投写される映像イメージ図である。
【発明を実施するための形態】
【００３２】
以下、本発明の実施の形態に係る空気調和装置用コントローラー及びこれを用いた空気調和システムについて説明する。なお、本発明は、以下に記載する例示に限定されるものではなく、特許請求の範囲によって示され、特許請求の範囲と均等の意味および範囲内での全ての変更が含まれることが意図される。
【００３３】
（空気調和システムの全体構成）
本実施の形態に係る空気調和システムは、典型例として１室を１台の空気調和機１により空調を行うケースである。１台の空気調和機１は、１台の室外機１０に対し１台の室内機２０が接続されている典型的な分離型空気調和機である。そして、この空気調和機１を制御する端末機として、１台の空気調和装置用コントローラー３０が配置されている。空気調和機１と空気調和装置用コントローラー３０とは、無線通信により情報交換するように構成されている。無線通信は、無線ＬＡＮ、ZigBee、Bluetooth（登録商標）、光通信などを利用する。
【００３４】
（空気調和機の構成）
図１に示すように、空気調和機１は、室内に設置される室内機２０と、屋外に設置される室外機１０とが電線及び冷媒配管に接続された分離型空気調和機である。
室外機１０は、室内機２０からの指示に基づき当該室外機１０の運転を制御するための制御部１１、圧縮機１２、四路切換弁１３、室外熱交換器(図示せず）などの冷媒回路関連機器、室外熱交換器用の室外ファン１４などを搭載したものである。四路切換弁は、冷媒回路を冷房サイクル或いは暖房サイクルに切換えるものであって、制御部１１により切換制御されている。
【００３５】
室内機２０は、空気調和装置用コントローラー３０との間で情報通信を行うための通信部２１、空気調和装置用コントローラー３０からの運転指示及び空気調和装置用コントローラー３０から送信される室温Ｔｒと室内設定温度Ｔｓとに基づきこの空気調和機１を運転制御する制御部２２、室内熱交換器(図示せず）等の冷媒回路関連機器を備えている。
【００３６】
制御部２２は、室外機１０の制御部１１に配線により接続されており、室外機１０の制御部１１と協働してこの空気調和機１全体の運転を制御するように構成されている。また、室内機２０は、制御部２２により回転数制御される室内熱交換器用の室内ファン２３、制御部２２により角度が調節される、吹出空気の風向を調整する風向板２４等を備えている。
【００３７】
また、上記のように構成された空気調和機１は、冷房運転、暖房運転、送風運転を自動的に選択切換える自動運転機能を有する。自動運転は、例えば、検出された室温Ｔｒが室内設定温度Ｔｓより所定温度高い冷房開始設定温度を超えて高温になった場合には冷房運転を行い、室温Ｔｒが室内設定温度Ｔｓより所定温度低い暖房開始設定温度を超えて低温になった場合に暖房運転を行う。また、この自動運転は、室温Ｔｒが冷房開始設定温度と暖房開始設定温度との間の温度領域、すなわち室内設定温度Ｔｓ近傍の温度領域では、室内サーモオフとなり、圧縮機１２を停止した送風運転を行う。
【００３８】
（空気調和装置用コントローラーの構成）
図１に示すように、空気調和装置用コントローラー３０は、室内機２０との間で情報交換を行うための通信部３１、この空気調和機１の運転に必要、かつ空気調和装置用コントローラーの運転動作に必要な情報を取得するためのセンサー類３２、この空気調和装置用コントローラー３０の運転動作を全体的に制御する制御部３３を備えている。また、空気調和装置用コントローラー３０は、制御部３３の機能を果たすために必要な情報や動作プログラムを記憶する記憶部３５、制御部３３において生成された映像信号に基づき空調状態を視覚化した映像を表示する表示部３４等を備えている。
【００３９】
このような構成を備えた空気調和装置用コントローラー３０は、机などの適宜の台の平面上に自由な方向に載置できる独立構造体として形成されている。そして、図２及び図３に示すように、空気調和装置用コントローラー３０は、一方の面部にはセンサー類３２が設けられ、反対側の面部には表示部３４が設けられ、内部には制御部３３が設けられている。なお、以下の説明において、空気調和装置用コントローラー３０に関しセンサー類３２の設けられている側の面を前面とし、表示部３４が設けられている側の面を背面とする。
【００４０】
通信部３１は、室内機２０の通信部２１と前述のように無線通信により情報交換を行う。空気調和機１から空気調和装置用コントローラー３０へ送信される情報としては、冷房運転か、暖房運転か、送風運転かなどの空調運転態様に関する情報がある。一方、空気調和装置用コントローラー３０から空気調和機１へ送信される情報としては、現状の空調対象室内の室温Ｔｒ及び室内における空調目標温度となる室内設定温度Ｔｓに関する情報、空調運転の開始、停止に関する指令情報などがある。
【００４１】
センサー類３２としては、空調対象室内に人の存在または不存在を検出する人検知センサー３２ａ、ユーザーが空調運転について室内設定温度Ｔｓを変更したい意思表示を表した場合の動作を検知する動作検知センサー３２ｂ、空調対象室内における室温Ｔｒを検知する室内温度センサー３２ｃなどが備えられている。ここで、人検知センサー３２ａは、空気調和機１及び空気調和装置用コントローラー３０の運転開始の必要性を確認する確認手段として設けられている。
【００４２】
人検知センサー３２ａは、人体が輻射する赤外線を検知する赤外線センサーを用いたものであり、どの方向に人がいても検知できるように複数の赤外線センサーにより構成されている。この人検知センサー３２ａが検出する情報により、制御部３３において空調対象室内における人の存在、不存在が判断される。
【００４３】
動作検知センサー３２ｂは、所謂ジェスチャー-センサーと称されるもので、内蔵の赤外線発光ＬＥＤから照射した光が検知対象物に当たり、その反応光の変化を受光素子で捉えて対象物の動きを検出する。この実施の形態においては、図２及び図３に示すように、空気調和装置用コントローラー３０の前面に配設されている。そして、図２に示すように、室内設定温度Ｔｓを低温側へ変更したい場合には、空気調和装置用コントローラー３０の前面側で手を下方に動かすように設定されている。また図３に示すように、室内設定温度Ｔｓを高温側へ変更したい場合には、空気調和装置用コントローラー３０の前面側で手を上方に動かすように設定されている。動作検知センサー３２ｂは、この手の動きを読み取るものであり、読み取った動き信号は、制御部３３に入力され、制御部３３にて読み取り動作の判別が行われる。
【００４４】
室内温度センサー３２ｃは、空気調和装置用コントローラー３０に取り付けられている。したがって、人に近い空間の温度を室温Ｔｒとして検出することができる。室内温度センサー３２ｃの取付位置は、前面部に限ったものではなく、上面や側面であってもよい。
【００４５】
制御部３３は、各部との信号のやり取りを行い、空気調和装置用コントローラー３０及び本空気調和システムの動作が支障なく行われるように各部を制御する運転制御部３３ａと、現状の空調状態を視覚化した映像を生成するための映像処理部３３ｂとを備えている。
【００４６】
運転制御部３３ａは、人検知センサー３２ａが、空気調和機１の運転停止中の室内に最初に人の入室を検出した場合に、空気調和装置用コントローラー３０の運転動作の開始を指示するとともに、空気調和機１に対し運転開始を指示する機能を備えている。また、運転制御部３３ａは、空気調和装置用コントローラー３０の運転動作開始後に、室内温度センサー３２ｃが検知する室温Ｔｒを取り込む機能、取り込んだ室温Ｔｒを空気調和機１に対し伝達する機能、記憶部３５に記憶されている室内設定温度Ｔｓの初期値を読み取る機能を有している。また、運転制御部３３ａは、空気調和機１への運転開始指示後に、室内温度センサー３２ｃが検知する室温Ｔｒを継続的に取り込む機能、取り込んだ室温Ｔｒを逐次空気調和機１に対し伝達する機能を有している。また、運転制御部３３ａは、動作検知センサー３２ｂがユーザーの動作を検出した場合に、その動作が室内設定温度Ｔｓの変更の意思を示す動作かどうかを判断する機能、この動作が室内設定温度Ｔｓの変更の意思を示す動作であることを検出した場合に、室内設定温度Ｔｓの変更値を空気調和機１に対し伝達する機能を有している。
【００４７】
映像処理部３３ｂは、空気調和装置用コントローラー３０の運転動作開始の指示があった場合に、運転制御部３３ａに取り込まれた室温Ｔｒ及び室内設定温度Ｔｓ、並びに、通信部３１を介し空気調和機１の運転態様を読み込む。そして、映像処理部３３ｂは、これら温度及び運転態様を視覚化した映像を表示部３４で表示できるように、映像信号を処理している。
【００４８】
表示部３４は、映像処理部３３ｂで生成された映像信号に基づく映像を表示するものである。この実施の形態における表示部３４は、図４（ａ）に示すようなカラー映像４０を適宜の壁面等に拡大投写する。
【００４９】
記憶部３５は、ＲＯＭ型メモリ及び不揮発性ＲＡＭ型メモリにより構成されており、この空気調和装置用コントローラー３０の運転動作を行うために必要なデータやプログラムを記憶している。また、記憶部３５は、空気調和機１の運転停止時に、運転制御部３３ａから伝達された室内設定温度Ｔｓも記憶している。
【００５０】
（カラー映像について）
図４（ａ）に示すように、カラー映像４０は、背景４１に水玉模様４２を浮かせた映像である。背景４１は、室内空間の温度である室温Ｔｒを表示する色相とし、水玉模様４２は、室内設定温度Ｔｓを表示する色相とする。室温Ｔｒを表す背景４１と室内設定温度Ｔｓを表す水玉模様４２とは、同一の色相とされるが、両者を明確に色分けできるように明度及び彩度を調整して色相の濃淡を明確にしている。本実施の形態においては、背景、すなわち室温Ｔｒの色相を薄くしている。
【００５１】
また、このカラー映像４０において、背景４１及び水玉模様４２の色相は、室温Ｔｒ及び室内設定温度Ｔｓが変わった場合にそれに追随して変化するように設定されている。
図５に示すように、背景４１及び水玉模様４２に施される色相スケール４５は、波長７５０ｎｍの暖色系である赤色から波長４５０ｎｍの寒色系である青色までを連続的に変化させたもので、これを温度スケール４６に紐付けしている。温度スケール４６は、色相スケール４５に対し等間隔に目盛ったもので、波長７５０ｎｍの赤色に対応する温度を２８℃とし、波長４５０ｎｍの青色を１６℃としている。
このように紐付けされることにより、室内設定温度Ｔｓは、１６℃〜２８℃の範囲において設定可能とされている。また、室温Ｔｒが２８℃を超える場合は、２８℃と同一色相の赤色で表示され、１６℃未満の温度の場合には１６℃と同一色相の青色で表示されるように設定されている。
【００５２】
したがって、このように背景４１及び水玉模様４２の色相が温度に紐付けされていることにより、両者の色相差が室内設定温度Ｔｓと室温Ｔｒとの温度差となって表現される。
また、図４（ｂ）に示すように、水玉模様４２は、上下方向又は水平方向の流れとなって移動するように設定されている。具体的には、暖房運転の場合は室温Ｔｒを高温側に上昇させるイメージに合うように水玉模様４２を上方に流し、冷房運転の場合は、室温Ｔｒを低温側に下降させるイメージに合うように水玉模様４２を下方に流し、室内設定温度Ｔｓ付近における送風運転の場合は水玉模様４２を水平方向、例えば右方向に流している。そして、室内設定温度Ｔｓと室温Ｔｒとの温度差が大きいほど水玉模様４２と背景４１の色差が生じるように設定されている。
【００５３】
したがって、運転制御部３３ａにより動作検知センサー３２ｂで検知された動作が室内設定温度Ｔｓと室温Ｔｒとの温度差を拡げることを意図する動作であると判断された場合には、室内設定温度Ｔｓと室温Ｔｒとの温度差が拡大するように室内設定温度Ｔｓを表す水玉模様４２の色相が暖色系に変更される。そして、室内設定温度Ｔｓと室温Ｔｒとの温度差が拡大に見合った分水玉模様４２の流れ速度が速くなる映像となる。また、動作検知センサー３２ｂで検知された動作が室内設定温度Ｔｓと室温Ｔｒとの温度差を小さくすることを意図する動作であると判断された場合には、室内設定温度Ｔｓと室温Ｔｒとの温度差が小さくなるように室内設定温度Ｔｓを表す水玉模様４２の色相が寒色系に変更される。そして、室内設定温度Ｔｓと室温Ｔｒとの温度差縮小に見合った分水玉模様４２の流れ速度が遅くなる映像となる。より具体的に述べると、暖房運転時において、手を上げる動作があった場合には室内設定温度Ｔｓを上げたい動作と判断され、室内設定温度Ｔｓが高温側に変更される。これにより、室内設定温度Ｔｓと室温Ｔｒとの温度差が大きくなるため、水玉模様４２の上方への流れ速度が速くなる。逆に、暖房運転時において、手を下げる動作があった場合には室内設定温度Ｔｓを下げたい動作と判断され、室内設定温度Ｔｓが低温側に変更され、これにより、室内設定温度Ｔｓと室温Ｔｒとの温度差が小さくなるため、水玉模様４２の上方への流れが右方への流れに変わる。
【００５４】
また、冷房運転時において、手を下げる動作があった場合には室内設定温度Ｔｓを下げたい動作と判断され、室内設定温度Ｔｓが低温側に変更され、水玉模様４２の色相が寒色系に変更される。そして、室内設定温度Ｔｓと室温Ｔｒとの温度差が大きくなるため、水玉模様４２の下方への流れ速度が速くなる。逆に、冷房運転時において、手を上げる動作があった場合には室内設定温度Ｔｓを上げたい動作と判断され、室内設定温度Ｔｓが高温側に変更され、水玉模様４２の色相が暖色系に変更される。そして、室内設定温度Ｔｓと室温Ｔｒとの温度差が小さくなるため、水玉模様４２の下方への流れが右方への流れに変わる。
【００５５】
（空気調和装置用コントローラーの運転動作について）
次に、空気調和装置用コントローラー３０の運転動作について、図６に基づき説明する。
空気調和機１が停止されている室内に人が最初に入室した場合、空気調和機１の運転開始の必要性を確認する確認手段を成す人検知センサー３２ａがこれを検知する(ステップＳ１)。制御部３３の運転制御部３３ａは、この人検知を取り込み、空気調和装置用コントローラー３０の運転動作を開始する。これに伴い、室内温度センサー３２ｃが室温Ｔｒを検知し、これを運転制御部３３ａに伝達する(ステップＳ２)。また、運転制御部３３ａは、記憶部３５に記憶されている先の空気調和機１停止時の室内設定温度Ｔｓを取り込む(ステップＳ３)。そして、運転制御部３３ａは、空気調和機１に対し、室温Ｔｒ及びこの室内設定温度Ｔｓを通知するとともに(ステップＳ４)、自動運転の開始を指令する(ステップＳ５)。
【００５６】
一方、運転制御部３３ａは、空気調和機１が行う自動運転の運転態様を読み込む。そして、読み込まれた運転態様が送風運転かどうか判断する(ステップＳ６)。送風運転であると判断された場合(ステップＳ６でＹＥＳの場合）、映像処理部３３ｂはこの情報を受けて送風モードのカラー映像４０を生成し、これに基づき表示部３４において送風モードのカラー映像４０が投写される(ステップＳ７)。送風モードの映像は、水玉模様４２が水平方向（右方向）に流れる映像であり、この場合は、室温Ｔｒが室内設定温度Ｔｓ近辺となっているので、背景４１の色相は水玉模様４２の色相に近似する色合いとなる。図２及び図３に示すように、投写される映像は、空気調和装置用コントローラー３０の背面側から対向する壁面に向け投写される。ユーザーは、自らの判断により空気調和装置用コントローラー３０の向きを選択することができる。
【００５７】
ステップＳ６において送風運転でないと判断された場合(ステップＳ６でＮＯの場合）、冷房運転かどうか判断される(ステップＳ８)。冷房運転であると判断された場合(ステップＳ８でＹＥＳの場合）、映像処理部３３ｂはこの情報を受けて冷房モードのカラー映像４０を生成し、これに基づき表示部３４において冷房モードのカラー映像４０が投写される(ステップＳ９)。冷房モードの映像は、水玉模様４２が下方方向に流れる映像である。また、この場合室内設定温度Ｔｓが室温Ｔｒより低く、室内設定温度Ｔｓの色相が室温Ｔｒの色相に比し青色に近づく寒色系となっている。また、ステップＳ８において冷房運転でないと判断された場合(ステップＳ８でＮＯの場合）、空気調和機１の運転態様は暖房運転であるということになる。したがって、映像処理部３３ｂはこの情報を受けて暖房モードのカラー映像４０を生成し、これに基づき表示部３４において暖房モードのカラー映像４０が投写される(ステップＳ１０)。暖房モードの映像は、水玉模様４２が上方方向に流れる映像である。また、この場合室内設定温度Ｔｓが室温Ｔｒより高く、室内設定温度Ｔｓの色相が室温Ｔｒの色相に比し赤色に近づく暖色系となっている。
【００５８】
このようにして、空気調和装置用コントローラー３０が運転動作している場合に、動作検知センサー３２ｂにより室内設定温度Ｔｓの設定温度を変更する意思を表した動作が検知された場合(ステップＳ１１でＹＥＳの場合)、運転制御部３３ａがこの動作の意味を判断する(ステップＳ１２)。運転制御部３３ａは、検知された動作が室内設定温度Ｔｓを高くするのか或いは低くするのか、また、何℃変更するか判定する(ステップＳ１２)。図２に示すように、手を下方に振る動作は室内設定温度Ｔｓを低くすることを意味し、図３に示すように、手を上方に振る動作は室内設定温度Ｔｓを高くすることを意味する。また、手を振る回数により、室内設定温度Ｔｓの変更温度数が変るように設定されている。
【００５９】
運転制御部３３ａは、上記判定に基づき室内設定温度Ｔｓを変更し(ステップＳ１３)、これを映像処理部３３ｂ及び空気調和機１に対し伝達する(ステップＳ１４)。空気調和機１側ではこの変更後の室内設定温度Ｔｓに基づき運転が制御される。一方、空気調和装置用コントローラー３０は、空気調和機１による運転態様の変化を確認し、確認された運転態様に基づくカラー映像４０を投写するように制御される(ステップＳ６〜Ｓ１０)。なお、このカラー映像４０における背景４１の色相は、室温Ｔｒの変化と共に変化する。
【００６０】
次に、空気調和装置用コントローラー３０の運転動作中において、室内設定温度Ｔｓの変更を意図する動作が確認されない場合には、運転制御部３３ａは、所定時間毎に繰り返し人検知センサー３２ａを介し人が検知されるかどうか判断される(ステップＳ１５)。そして、人が検出されない場合(ステップＳ１５でＮＯの場合)であって一定時間経過した場合には(ステップＳ１６でＹＥＳの場合)、人が在室していないと判断される。さらに、そのときの室内設定温度Ｔｓを、次の運転再開時の室内設定温度Ｔｓとするべく記憶部３５に記録し (ステップＳ１７)、空気調和装置用コントローラー３０の運転動作を停止するとともに、空気調和機１に対し運転停止命令を指令する(ステップＳ１６)。
【００６１】
（空気調和装置用コントローラーの使用方法）
次に、ユーザーが空気調和装置用コントローラー３０をどのように使用するかについて説明する。
空気調和装置用コントローラー３０の運転動作の開始及び停止については、前記空気調和装置用コントローラー３０の運転動作の説明から明らかなごとく、格別の操作は不要である。人の出入りにより自動的に制御される。また、空気調和機１は、この空気調和装置用コントローラー３０の運転動作の開始及び停止に同期して発停される。なお、空気調和機１の運転開始及び停止を除く運転制御については、空気調和装置用コントローラー３０から伝達される室温Ｔｒ及び室内設定温度Ｔｓに基づき、制御部２２及び制御部１１により自動的に制御される。したがって、空気調和機１は、ユーザーが空気調和装置用コントローラー３０のカラー映像４０を見て、室内設定温度Ｔｓの設定を変更することによりユーザーの意思に沿った空調運転を行うことが可能になる。
【００６２】
空気調和装置用コントローラー３０及び空気調和機１の運転開始時の室内設定温度Ｔｓは、運転停止される前の室内設定温度Ｔｓとされる。なお、新規設置の場合には、運転停止される前の室内設定温度Ｔｓがないので、一定の温度、例えば２５℃にファクトリ設定されるものとする。
【００６３】
このようにして、一旦運転が開始された後は、ユーザーは、以下に述べる具体例のように運転操作すればよい。
ユーザーは、カラー映像４０が暖房モードの時に暑いと感じる場合、図２に示すように空気調和装置用コントローラー３０の前面側において手を下方に適宜の数振るようにすればよい。こうすると、室内設定温度Ｔｓを低温側に下げて室温Ｔｒに近づけることができる。室内設定温度Ｔｓと室温Ｔｒとの温度差が小さくなるにつれ、空気調和機１の暖房能力も抑制され、水玉模様４２の上方に流れる速度も低下する。また、水玉模様４２の色相が背景４１の色相に近づく。こうして、室内設定温度Ｔｓと室温Ｔｒとの温度差が一定温度以下になると、空気調和機１の運転態様が暖房運転から送風運転に切換えられ、これにともない、空気調和装置用コントローラー３０においても暖房モードが送風モードに切り換えられる。そして、水玉模様４２は、送風モードに切り換えられることにより、流れ方向が上方向から水平右方向に切り替わる。ユーザーは、このようなカラー映像４０上の変化により、室温Ｔｒの上昇を抑制する運転態様になっていくことを直感的に感ずることができる。
【００６４】
また、ユーザーは、カラー映像４０が暖房モードの時に寒いと感じる場合、図３に示すように空気調和装置用コントローラー３０の前面側において手を上方に適宜の数振るようにすればよい。こうすると、室内設定温度Ｔｓを高温側に上げることができる。そして、室内設定温度Ｔｓと室温Ｔｒとの温度差が大きくなるにつれ、空気調和機１の暖房能力もアップされ、空気調和装置用コントローラー３０においても、上方に流れる水玉模様４２の速度が上昇するとともに、水玉模様４２の色相が暖色系になり、背景４１との色相との差が大きくなる。ユーザーは、このようなカラー映像４０上の変化により、室温Ｔｒを早急に上昇させるように空気調和機１が運転されていることを直感的に感ずることができる。
【００６５】
次に、ユーザーは、カラー映像４０が送風モードの時に暑いと感じる場合、図２に示すように空気調和装置用コントローラー３０の前面側において手を下方に適宜の数振るようにすればよい。こうすると、室内設定温度Ｔｓを室温Ｔｒより低温側に下げることができる。そして、室内設定温度Ｔｓと室温Ｔｒとの温度差が所定値以上となったときに、空気調和機１の運転態様が送風運転から冷房運転に切り換えられ、これに伴い空気調和装置用コントローラー３０においても、送風モードが冷房モードに切り換えられる。この切り換えに伴い、水玉模様４２は、色相が寒色系に変化し、背景４１の色相から離れる。そして、カラー映像４０が冷房モードに切り換えられることにより、水玉模様４２の流れ方向が水平右方向から下方向に切り換えられる。ユーザーは、このようなカラー映像４０上の変化により、室温Ｔｒを低下させる運転態様になっていることを直感的に感ずることができる。
【００６６】
また、ユーザーは、カラー映像４０が送風モードの時に寒いと感じる場合、図３に示すように空気調和装置用コントローラー３０の前面側において手を上方に適宜の数振るようにすればよい。こうすると、室内設定温度Ｔｓを室温Ｔｒより高温側にすることができる。そして、室内設定温度Ｔｓと室温Ｔｒとの温度差が所定値以上となったときに、空気調和機１の運転態様が送風運転から暖房運転に切り換えられ、これに伴い空気調和装置用コントローラー３０においても、送風モードが暖房モードに切り換えられる。この切り換えに伴い、水玉模様４２は、色相が暖色系に変化し、背景４１の色相から離れる。そして、カラー映像４０が暖房モードに切り換えられることにより、水玉模様４２の流れ方向が水平右方向から上方向に切り換えられる。ユーザーは、このようなカラー映像４０上の変化により、室温Ｔｒを上昇させる運転態様になっていることを直感的に感ずることができる。
【００６７】
次に、ユーザーは、カラー映像４０が冷房モードの時に暑いと感じる場合、図２に示すように空気調和装置用コントローラー３０の前面側において手を下方に適宜の数振るようにすればよい。こうすると、室内設定温度Ｔｓを低温側に下げることができる。室内設定温度Ｔｓと室温Ｔｒとの温度差が大きくなるにつれ、空気調和機１の冷房能力もアップされ、水玉模様４２の下方に流れる速度も速くなる。また、水玉模様４２の色相が寒色系になり、背景４１との色相との差が大きくなる。ユーザーは、このようなカラー映像４０上の変化により、室温Ｔｒをより一層低下させるように空気調和機１が運転されることを直感的に感ずることができる。
【００６８】
また、ユーザーは、カラー映像４０が冷房モードの時に寒いと感じる場合、図３に示すように空気調和装置用コントローラー３０の前面側において手を上方に適宜の数振るようにすればよい。こうすると、室内設定温度Ｔｓを高温側に上げて室温Ｔｒに近づけることができる。室内設定温度Ｔｓと室温Ｔｒとの温度差が小さくなるにつれ、空気調和機１の冷房能力も抑制され、水玉模様４２の下方に流れる速度も低下する。また、水玉模様４２の色相が背景４１の色相に近づく。こうして、室内設定温度Ｔｓと室温Ｔｒとの温度差が一定温度以下になると、空気調和機１の運転態様が冷房運転から送風運転に切換えられ、これにともない、空気調和装置用コントローラー３０においても冷房モードが送風モードに切り換えられる。そして、カラー映像４０が送風モードに切り換えられることにより、水玉模様４２の流れ方向が下方向から水平右方向に切り替わる。ユーザーは、このようなカラー映像４０上の変化により、室温Ｔｒの下降が抑制される運転態様になっていくことを直感的に感ずることができる。
【００６９】
（本実施の形態の効果）
本実施の形態に係る空気調和装置用コントローラー３０は、以上のように構成されているので、次のような効果を奏することができる。
【００７０】
（１）現状の室温Ｔｒ及び室内設定温度Ｔｓが、温度スケール４６に紐付けされている色相を施したカラー映像４０として表示されるため、現状の室温Ｔｒ及び室内設定温度Ｔｓのみならず室温Ｔｒと室内設定温度Ｔｓとの温度差をも直感的に把握することができる。従って、この情報に加え空気調和機１の運転態様を認識することにより、意図通りの空気調和運転が行われているかを直感的に把握することができる。また、その結果として、空気調和機１をユーザーの実感とマッチする方向に運転操作することができる。
【００７１】
（２）一つのカラー映像４０で、室温Ｔｒ、室内設定温度Ｔｓ、室温Ｔｒと室内設定温度Ｔｓとの温度差、及びこれらの変化を認識することができるので、直感的に現状の空気調和運転の適応性を判断することができる。
【００７２】
（３）カラー映像４０は、水玉模様４２が濃い色相とされて室内設定温度Ｔｓを表示するように形成され、背景が薄い色相とされて室温Ｔｒを表示するように形成されている。したがって、背景４１を室内空間とイメージ付けできるので、室温Ｔｒと室内設定温度Ｔｓの表示として直感的にイメージし易いという利点がある。
【００７３】
（４）制御部３３を構成する運転制御部３３ａは、室温Ｔｒ及び室内設定温度Ｔｓとともに空気調和機１の運転態様を取り込むように構成され、さらに制御部３３を構成する映像処理部３３ｂは、現状の室温Ｔｒ、室内設定温度Ｔｓ、及び、空気調和機１の運転態様をカラー映像４０として表示するための映像信号を生成している。したがって、ユーザーは一つの映像で、これら情報を纏めて認識できるので、現状どのような運転が意図通りであるかどうかを直感的に判断し易い。
【００７４】
（５）カラー映像４０は、水玉模様４２の動きにより空気調和機１の運転態様を表示するように形成されているので、運転態様を容易に把握することができる。
（６）水玉模様４２は、冷房運転時に下方向へ、暖房運転時に上方向へ、送風運転時に水平方向へ流れるように形成されているので、水玉模様４２の動きと、空気調和機１の運転態様による室温Ｔｒの変化する方向のイメージとが合致し、カラー映像４０による運転表示機能としては簡素であり、かつ明確である。
【００７５】
（７）カラー映像４０は、冷房運転時及び暖房運転時において、室温Ｔｒと室内設定温度Ｔｓとの温度差が大きいほど水玉模様４２の流れ速度が大きくなるように形成されている。一方、空気調和機１は、一般的に室温Ｔｒと室内設定温度Ｔｓとの温度差が大きいほど能力が大きくなるように形成されている。したがって、水玉模様４２の流れ速度と空気調和機１の能力の大小とがイメージ的に合致するので、空気調和運転が意図通りのものであるかどうかを直感的に認識させる映像として好ましい。
【００７６】
（８）動作検知センサー３２ｂによりユーザーの意思表示を表す動作を検出するように構成されているので、室内設定温度Ｔｓを直感的に変更設定することができる。したがって、ユーザーの意図に沿った運転を実現することが容易になる。
【００７７】
（９）動作検知センサー３２ｂは、ユーザーの意思表示を表す動作をジェスチャーセンサーで検知してこれを判別するように構成されているので、手の上下運動などの簡単なジェスチャーで室内設定温度Ｔｓを変更することができる。
【００７８】
（１０）空気調和機１の運転開始の必要性を確認する確認手段が当該空気調和装置用コントローラー３０に設けられているので、空気調和機１には運転操作スイッチを設ける必要がない。したがって、運転操作用のリモコンもなしで良い。
【００７９】
（１１）人検知センサー３２ａが、空気調和機１の運転開始の必要性を確認する確認手段となっているので、空気調和機１は、ユーザーの操作を待つことなく自動的に運転開始及び停止することができる。
【００８０】
（１２）表示部３４は、投写映像表示機能を備えているので、壁面等の適宜の面に投写された大きなカラー映像４０で運転状況を把握することができる。したがって、空気調和運転状況の確認が容易であり、何らかの作業をしながらでも空気調和運転状況を把握することができる。
【００８１】
（１３）当該空気調和装置用コントローラー３０は、適宜の平面もしくは壁面上に載置できる構造とされているので、当該コントローラーを適宜の場所に載置し、適宜の方向に向けて適宜の面に映像を投写することができる。したがって、取扱い勝手が極めて良好である。
【００８２】
(変形例）
上記の各実施の形態に関する説明は、本発明に従う空気調和装置用コントローラー３０及び空気調和システムが取り得る形態の例示であり、その形態に制限されるものではなく、以下に示すように変形してもよい。なお、以下に示す変形例に関し、相互に矛盾しない少なくとも二つの変形例を組み合わせた形態としてもよい。
【００８３】
（１）前記実施の形態における空気調和システムは、空調対象室内に１台の空気調和機１を使用する例であったが、広い部屋において複数台の空気調和機１を使用する場合に用いることも可能である。この場合は、図７に示すように、１台の空気調和装置用コントローラー３０と複数台の空気調和機１とをインターネット５０を介し接続し、１台の空気調和装置用コントローラー３０により複数台の空気調和機１を同時にコントロールするようにしてもよい。
【００８４】
（２）表示部３４に関し、前記実施の形態においては壁面に拡大投写する形式のものであったが、液晶パネル、有機ＥＬ等のディスプレイに表示する装置としてもよい。
（３）色相スケール４５と温度スケール４６との紐付けに関し、温度スケール４６の最低温度及び最高温度を変更してもよい。例えば、最低温度１６℃を１４℃とし、最高温度２８℃を３５℃としてもよい。また、色相スケール４５は、連続的に変化するものとしているが、段階的に変化させるものとしてもよい。
【００８５】
（４）表示部３４が映し出すカラー映像４０に関し、色相スケール４５と温度スケール４６との紐付けを明示する映像を含ませるようにしてもよい。例えば、図８に示すように、図４(ａ)に示すカラー映像４０の下方に白抜き部４８を形成し、この白抜き部４８に図５に示した色相スケール４５と温度スケール４６との相関関係図を示すようにしてもよい。このようにすれば、背景４１及び水玉模様４２の色相や水玉模様４２の動きに加え、温度と色相との関係をより正確に認識することができ、空調運転状態をより正確に把握することができる。なお、この色相スケール４５と温度スケール４６との相関関係図を示す位置は適宜変更してもよい。
【００８６】
（５）表示部３４が映し出すカラー映像４０に関し、背景４１を室温Ｔｒを表示する色相とし、水玉模様４２を室内設定温度Ｔｓを表示する色相としているが、これを逆に表示するようにしてもよい。また、カラー映像４０は、図４（ａ）に例示のような図柄に限らず、自由に変更した図柄の映像としてもよい。この場合において、現状の温度数値を図柄表示に重ねて表示するようにしてもよいことは勿論、時間とともに室温Ｔｒがどのように推移しているかなどを表示するようにしてもよい。
【００８７】
（６）表示部３４が映し出すカラー映像４０に関し、前記実施の形態においては、水玉模様４２の流れ方向を変えることにより空気調和機１の運転態様を表すようにするとともに、室温Ｔｒと室内設定温度Ｔｓとの温度差に比例して流れ速度を変化させるようにしていたが、この表示を含まないものも、本発明に包含される。すなわち、この場合は、背景４１の色相で室温Ｔｒを表示し、水玉模様４２の色相で室内設定温度Ｔｓを表示し、室温Ｔｒ及び室内設定温度Ｔｓの変化に追随してこれら色相を変化させるようにしただけのものでもよい。
【００８８】
（７）空気調和機１及び空気調和装置用コントローラー３０の運転開始の必要性を確認する確認手段に関し、前記実施の形態における人検知センサー３２ａに代えて、タッチセンサなどのスイッチ類としてもよい。ただし、この場合は、ユーザーが自ら操作する必要がある。
【００８９】
（８）ユーザーが空調運転について室内設定温度Ｔｓを変更したい旨の意思表示を表した動作を検知する動作検知方法に関し、前記実施の形態においては手のジェスチャーにより意思表示し、動作検知センサー３２ｂによりこれを検知していたが、他の意思表示動作に置換しこの動作を検知するようにしてもよい。例えば、ユーザーの室内設定温度Ｔｓを変更したいという意思表示を、脳波、呼気、眼球運動、タッチカーソルに対する指の動きなどの動作に表し、これを検知するセンサーを用いるように変更してもよい。
【００９０】
（９）室内温度センサー３２ｃに関し、前記実施の形態においては空気調和装置用コントローラー３０内に搭載されていたが、室内温度センサー３２ｃは室内の平均的な空間温度を検出することが好ましいので、空気調和装置用コントローラー３０とは別の位置に配置したものとしてもよい。
【００９１】
（１０）空気調和機１の自動運転に関しては、室内設定温度Ｔｓ付近において送風運転を行うものとしていたが、送風運転に代えて除湿運転をおこなうものとしてもよい。また、室内設定温度Ｔｓ近傍の高めの温度領域において冷房気味除湿運転を行い、室内設定温度Ｔｓ近傍の低めの温度領域において暖房気味除湿運転を行うものとしてもよい。なお、この場合の空気調和装置用コントローラー３０における映像モードは当然に送風モードではなく、これを除湿モードとして表示する必要がある。
【００９２】
（１１）また、空気調和機１は、室外機１台に対し室内機１台の分離型空気調和機であったが、室外機１台に対し室内機複数台のマルチタイプ分離型空気調和機であってもよいし、室内外一体型の空気調和機であってもよい。
【００９３】
（１２）また、空気調和機１は、リモコンを備えていないタイプとしていたが、空気調和機１の発停操作、室内設定温度Ｔｓの設定作業をリモコンで行えるようにした空気調和機とし、空気調和装置用コントローラー３０からの室内設定温度Ｔｓの変更指示があった場合には、これを割り込みで有効にして制御をできるようにしたものとしてもよい。
【符号の説明】
【００９４】
Ｔｒ  室温
Ｔｓ  室内設定温度
１  空気調和機
１０  室外機
１１  制御部
１２  圧縮機
１３  四路切換弁
１４  室外ファン
２０  室内機
２１  通信部
２２  制御部
２３  室内ファン
２４  風向板
３０  空気調和装置用コントローラー
３１  通信部
３２  センサー類
３２ａ  人検知センサー
３２ｂ  動作検知センサー
３２ｃ  室内温度センサー
３３  制御部
３３ａ  運転制御部
３３ｂ  映像処理部
３４  表示部
３５  記憶部
４０  カラー映像
４１  背景
４２  水玉模様
４５  色相スケール
４６  温度スケール
４８  白抜き部
５０  インターネット
【図１】
2019002634.tif 000003
【図２】
2019002634.tif 000004
【図３】
2019002634.tif 000005
【図４】
2019002634.tif 000006
【図５】
2019002634.tif 000007
【図６】
2019002634.tif 000008
【図７】
2019002634.tif 000009
【図８】
2019002634.tif 000010